(57)【要約】【課題】排水機能を有し、漏電を防止する電源プラグのカバー構造を提供する。【解決手段】頂面１０、第１の側面１００、第２の側面１０２および少なくとも一つの第１の溝１２を含む。頂面１０の相対する両側である第１の側面１００および第２の側面１０２のそれぞれの一方の側辺に接続部が設けられている。第１の溝１２は、頂面１０に設けられ、第１の斜面１２０を底部に有する。第１の斜面１２０および前記頂面１０は、平行ではない。第１の溝１２の長さは、第１の側面１００と第２の側面１０２との長さより短い。第１の側面１００は、第１の溝１２の一端に連通する第１の開口部１２２を有する。第１の斜面１２０は、第１の溝１２および頂面１０の深さを第１の溝１２のもう一方の端部から第１の側面１００に向けて徐々に深くする。そのため、溝の深さが限定されながら、斜面の斜度を増加させることにより、迅速に排水を行い、漏電を防止することができる。【選択図】図３
0003193986.tif 000002
【実用新案登録請求の範囲】
【請求項１】
頂面、第１の側面、第２の側面および少なくとも一つの第１の溝を含むカバー構造であって、
前記頂面の相対する両側である第１の側面および第２の側面のそれぞれの一方の側辺に接続部が設けられ、前記第１の溝は前記頂面に設けられ、前記第１の斜面を底部に有し、前記第１の斜面および前記頂面は平行ではなく、前記第１の溝の長さは前記第１の側面と前記第２の側面との長さより短く、前記第１の側面は前記第１の溝の一端に連通する第１の開口部を有し、前記第１の斜面は前記第１の溝および前記頂面の深さを前記第１の溝のもう一方の端部から前記第１の側面に向けて徐々に深くすることを特徴とする電源プラグのカバー構造。
【請求項２】
前記カバー構造は、第２の溝をさらに含み、前記第２の溝は前記頂面上に設けられ、第２の斜面を底部に設け、前記第２の斜面および前記頂面は平行ではなく、前記第２の溝の長さは前記第１の側面と前記第２の側面との長さより短く、前記第２の側面は前記第２の溝の一端に連通する第２の開口部を有し、前記第２の斜面は前記第２の溝および前記頂面の深さを前記第２の溝のもう一方の端部から前記第２の側面に向けて徐々に深くすることを特徴とする請求項１に記載の電源プラグのカバー構造。
【請求項３】
前記第１の溝のもう一方の端部は、前記第２の溝のもう一方の端部と同一位置でもよいことを特徴とする請求項２に記載の電源プラグのカバー構造。
【請求項４】
前記カバー構造は、前記頂面に突設された接続端子を組み合わせることを特徴とする請求項３に記載の電源プラグのカバー構造。
【請求項５】
前記第１の斜面および前記第２の斜面は、平面形態、凸曲面形態および凹曲面形態の任意の一つであることを特徴とする請求項４に記載の電源プラグのカバー構造。
【考案の詳細な説明】
【技術分野】
【０００１】
本考案は、電源プラグのカバー構造に関し、特に、排水機能を有し、漏電を防止する電源プラグのカバー構造に関する。
【背景技術】
【０００２】
電源供給器は、耐絶縁性の安全基準を満たすため、耐トラッキング性試験を通過する必要がある。耐トラッキング性試験の試験規定は、IEC60112、UL746A、GB/T4207、GB4706.1，ASTM D3638-92など各国が定めた安全基準がある。耐トラッキング性試験は、固体の絶縁材料表面に置かれた２ｍｍ×５ｍｍの白金電極の間に、電圧を印加し、３０秒間隔で３５ｍｍの高さから規定の液滴体積の塩化アンモニウム０.１％水溶液を滴下し、絶縁材料表面が電場、湿気、ほこりなどの作用下で耐トラッキング性を評価し、ＣＴＩおよびＰＴＩを測定するものである。
【０００３】
図１および図２を参照する。図１は、従来の電源プラグのカバー構造を示す斜視図である。図２は、従来の電源プラグのカバー構造を示す断面図である。図１および図２に示すように、従来の電源プラグのカバー構造４は、頂面４０、第１の側面４００、第２の側面４０２および溝４２を含む。溝４２の長さは、第１の側面４００と第２の側面４０２との長さにほぼ等しい。溝４２は、斜面４２０を底部に有する。溝４２は、斜面４２０により排水効果を強めることができる。
【０００４】
従来技術には排水効果があるものの、斜面４２０の設計に問題があるため、カバー構造４上の接続端子５を中心から離して配置しなければならなかった。これは、斜面４２０の存在によってカバー構造４の内側表面に傾斜のある突起部分を形成しているからである。接続端子５を中心に配置するとすれば、接続端子５を固定するのに用いられる固定デバイス６が突起部分があるため、不具合を起こしてしまう問題があった。そのため、従来技術において、接続端子５および固定デバイス６は、中心から離して配置することにより突起部分を避けていたのである。
【先行技術文献】
【特許文献】
【０００５】
【特許文献１】特開平１１−３５４１８７号公報
【考案の概要】
【考案が解決しようとする課題】
【０００６】
本考案の第１の目的は、斜面の斜度を増加させ、迅速に排水を行う電源プラグのカバー構造を提供することにある。
本考案の第２の目的は、接続端子を中心から離して配置する必要がない電源プラグのカバー構造を提供することにある。
【課題を解決するための手段】
【０００７】
上述の目的を達成するため、本考案は、電源プラグのカバー構造を提供する。本考案の電源プラグのカバー構造は、頂面、第１の側面、第２の側面および少なくとも一つの第１の溝を含む。頂面の相対する両側である第１の側面および第２の側面のそれぞれの一方の側辺に接続部が設けられている。第１の溝は、頂面に設けられ、第１の斜面を底部に有する。第１の斜面および前記頂面は、平行ではない。第１の溝の長さは、第１の側面と第２の側面との長さより短い。第１の側面は、第１の溝の一端に連通する第１の開口部を有する。第１の斜面は、第１の溝および頂面の深さを第１の溝のもう一方の端部から第１の側面に向けて徐々に深くする。
【考案の効果】
【０００８】
本考案の電源プラグのカバー構造は、溝の深さが限定されているものの、斜面の斜度を増加させることにより、迅速に排水を行い、漏電を防止することができる。また、本考案のカバー構造は、第１の溝を有し、カバー構造の内側表面に斜度を有する突起部分を形成しているが、第１の斜面の長さが従来技術の斜面の長さより短く、突起部分の最低位置が第２の側面から離れているため、接続端子を中心に配置することができる。
【図面の簡単な説明】
【０００９】
【図１】従来の電源プラグのカバー構造を示す斜視図である。
【図２】従来の電源プラグのカバー構造を示す断面図である。
【図３】本考案の第１の実施形態による電源プラグのカバー構造を示す斜視図である。
【図４】本考案の第１の実施形態による電源プラグのカバー構造を示す断面図である。
【図５】本考案の第２の実施形態による電源プラグのカバー構造を示す斜視図である。
【考案を実施するための形態】
【００１０】
以下、本考案の実施形態を図面に基づいて説明する。
【００１１】
図３および図４を参照して説明する。図３は、本考案の第１の実施形態による電源プラグのカバー構造を示す斜視図である。図４は、本考案の第１の実施形態による電源プラグのカバー構造を示す断面図である。図３および図４に示すように、本考案の電源プラグのカバー構造１は、頂面１０、第１の側面１００、第２の側面１０２および少なくとも一つの第１の溝１２（本実施形態においては三つであるが、これに限定されるものではない）を含む。頂面１０の相対する両側である第１の側面１００および第２の側面１０２のそれぞれの一方の側辺に接続部が設けられている。また、頂面１０のもう一つの相対する両側である第３の側面１０４および第４の側面１０６のそれぞれの一方の側辺に接続部が設けられている。第１の溝１２は、頂面１０上に設けられ、第１の斜面１２０を底部に設けている。第１の斜面１２０および頂面１０は、平行ではない。
【００１２】
第１の溝１２の長さは、第１の側面１００と第２の側面１０２との長さより短い。第１の側面１００は、第１の溝１２の一端に連通する第１の開口部１２２を有する。第１の斜面１２０は、第１の溝１２および頂面１０の深さを第１の溝１２のもう一方の端部から第１の側面１００に向けて徐々に深くする。第１の溝１２の長さは、従来技術より短く、深さの変わらぬ状況において、第１の斜面１２０の斜度が相対的に増加するため、排水機能をより高くすることができる。
【００１３】
カバー構造１には、接続端子２を組み合わせることができる。接続端子２は、普通のプラグの接続端子でもよい。接続端子２の一方の端部は、カバー構造１の頂面１０に突設してもよい。接続端子２のもう一方の端部は、カバー構造１の内側表面から突出し、固定デバイス３により固定される。
【００１４】
図５を参照して説明する。図５は、本考案の第２の実施形態による電源プラグのカバー構造を示す斜視図である。図５に示すように、本実施形態は、第１の実施形態とほぼ同様であるため、異なる部分のみ説明を加える。本実施形態のカバー構造１は、第２の溝１４をさらに含む。第２の溝１４は、頂面１０上に設けられ、第２の斜面１４０を底部に設けている。第２の斜面１４０および頂面１０は、平行ではない。第２の溝１４の長さは、第１の側面１００と第２の側面１０２との長さより短い。第２の側面１０２は、第２の溝１４の一端に連通する第２の開口部１４２を有する。第２の斜面１４０は、第２の溝１４および頂面１０の深さを第２の溝１４のもう一方の端部から第２の側面１０２に向けて徐々に深くする。第１の溝１２のもう一方の端部は、第２の溝１４のもう一方の端部と同一位置でもよく、分水嶺のような状態を形成することができる。
【００１５】
第１の斜面１２０および第２の斜面１４０は、普通の平面形態でも、凸曲面形態（図示せず）でも、凹曲面形態（図示せず）でも、構わない。上記の各形態は、どれも迅速に排水する効果を有し、漏電が発生するのを防ぐことができる。
【００１６】
電子製品は、使用において、電力が用いられるため、不測の事態が起きやすい。そのため、安全規格により規制され、使用上の安全を満たすことが求められている。本考案の電源プラグのカバー構造は、安全規格を満たしながら、溝の深さが限定された範囲内で、構造の改良により限定された溝の深さで斜面の斜度を増加させて、迅速に排水を行う効果を有し、漏電が発生するのを防ぐことができる。
【００１７】
本考案の接続端子２は、従来技術のように中心から離して配置する必要がない。従来技術と同様のカバーである場合、カバー構造１は、第１の溝１２を有するため、カバー構造１の内側表面に斜度を有する突起部分が形成されるが、第１の斜面１２０の長さが従来技術の斜面の長さより短いため、突起部分の最低位置が第２の側面１０２から離れているが、従来技術では第２の側面１０２に近づいている。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
１  カバー構造
２  接続端子
３  固定デバイス
４  カバー構造
５  接続端子
６  固定デバイス
１０  頂面
１２  第１の溝
１４  第２の溝
４０  頂面
４２  溝
１００  第１の側面
１０２  第２の側面
１０４  第３の側面
１０６  第４の側面
１２０  第１の斜面
１２２  第１の開口部
１４０  第２の斜面
１４２  第２の開口部
４００  第１の側面
４０２  第２の側面
４２０  斜面
【図１】
0003193986.tif 000003
【図２】
0003193986.tif 000004
【図３】
0003193986.tif 000005
【図４】
0003193986.tif 000006
【図５】
0003193986.tif 000007